【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
その側端に、その厚さ範囲内に形成され、その側方及び厚さ方向一側に開いた一側凹部と、その側方及び厚さ方向他側に開いた第２凹部とが設けられていることを特徴とする導光板。
【請求項２】
その側端に、その表面に対して傾斜する傾斜面として、その厚さ方向一側に向いた一側傾斜面と、その厚さ方向他側に向いた他側傾斜面とが設けられていることを特徴とする導光板。
【請求項３】
前記傾斜面は、その導光部分の厚さ範囲内に設けられていることを特徴とする請求項２に記載の導光板。
【請求項４】
前記傾斜面として、その一端側に向いた第１傾斜面と、その他端側に向いた第２傾斜面とが設けられていることを特徴とする請求項２又は請求項３に記載の導光板。
【請求項５】
前記傾斜面の少なくとも一方は、その導光部分の厚さが薄い方の側端に設けられていることを特徴とする請求項２乃至請求項４のいずれか１項に記載の導光板。
【請求項６】
導光板を支持体に対して固定する固定構造であって、前記導光板の側端には、前記導光板の厚さ範囲内に形成され、前記導光板の側方及び厚さ方向一側に開いた一側凹部と、その側方及び厚さ方向他側に開いた第２凹部とが設けられ、前記第１凹部と前記他側凹部とが前記支持体に対して相互に前記導光板の厚さ方向逆側に係合していることを特徴とする導光板の固定構造。
【請求項７】
前記凹部は、前記支持体から突出した突起に係合していることを特徴とする請求項６に記載の導光板の固定構造。
【請求項８】
導光板を支持体に対して固定する固定構造であって、前記基板の側端には、前記導光板の表面に対して傾斜する傾斜面として、前記導光板の厚さ方向一側に向いた一側傾斜面と、前記導光板の厚さ方向他側に向いた他側傾斜面とが設けられ、前記一側傾斜面と前記他側傾斜面とが前記支持体に対して相互に前記導光板の厚さ方向逆側に係合していることを特徴とする導光板の固定構造。
【請求項９】
前記傾斜面は、前記導光板の導光部分の厚さ範囲内に設けられていることを特徴とする請求項８に記載の導光板。
【請求項１０】
前記傾斜面として、前記導光板の一端側に向いた第１傾斜面と、前記導光板の他端側に向いた第２傾斜面とが設けられ、前記第１傾斜面と前記第２傾斜面とが前記支持体に対して相互に前記導光板の異なる端部側に係合していることを特徴とする請求項８又は請求項９に記載の導光板の固定構造。
【請求項１１】
前記傾斜面は、前記支持体から突出する突起に係合していることを特徴とする請求項８乃至請求項１０のいずれか１項に記載の導光板の固定構造。
【請求項１２】
請求項６乃至請求項１１のいずれか１項に記載の導光板の固定構造と、前記導光板と平面的に重なるように配置された液晶表示パネルとを有することを特徴とする液晶表示装置。
【請求項１３】
前記導光板として第１導光板と第２導光板とを有し、前記液晶表示パネルとして、前記第１導光板からの光を受ける第１液晶表示パネルと、前記第２導光板からの光を受ける第２液晶表示パネルとを有し、前記第１導光板と前記第２導光板とが相互に平面的に重なる状態で前記支持体に対して共通に支持固定されていることを特徴とする請求項１２に記載の液晶表示装置。
【請求項１４】
前記第１導光板と前記第２導光板との間に表裏両面において光学作用を生じ得る光学作用層が配置されていることを特徴とする請求項１３に記載の液晶表示装置。
【請求項１５】
請求項１２乃至請求項１４のいずれか１項に記載の液晶表示装置と、該液晶表示装置を制御する制御手段とを有することを特徴とする電子機器。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
上記課題を解決するために本発明の導光板は、その側端に、その厚さ範囲内に形成され、その側方及び厚さ方向一側に開いた一側凹部と、その側方及び厚さ方向他側に開いた第２凹部とが設けられていることを特徴とする。
【手続補正５】
【補正対象書類名】明細書
【補正対象項目名】００１５
【補正方法】変更
【補正の内容】
【００１５】
この発明によれば、凹部が開いた厚さ方向の前後一方にのみ凹部は支持体等に対して係合することが可能になるが、一側凹部と他側凹部とを設けることにより、支持体等に対して導光板を厚さ方向の前後両側に規制することが可能になる。また、導光板の厚さが同じであっても、従来の凹穴よりも係合強度を高めることができるので、凹部近傍の割れ等の破損を防止することができ、導光板を従来よりも薄く形成することが可能になる。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
また、本発明の別の導光板は、その側端に、その表面に対して傾斜する傾斜面として、その厚さ方向一側に向いた一側傾斜面と、その厚さ方向他側に向いた他側傾斜面とが設けられていることを特徴とする。
【手続補正１１】
【補正対象書類名】明細書
【補正対象項目名】００２１
【補正方法】変更
【補正の内容】
【００２１】
この発明によれば、導光板の側端に設けられた一側傾斜面と他側傾斜面とによって導光板を厚さ方向の前後両側に共に容易に規制することができる。また、傾斜に沿って導光板の肉厚が漸次変化するように構成できるので、支持体等との係合を可能にするだけの空間を十分に確保できると同時に傾斜面形成部位の係合強度を確保することができ、導光板の破損を防止しつつ薄肉化を図ることができる。
【手続補正１２】
【補正対象書類名】明細書
【補正対象項目名】００２２
【補正方法】変更
【補正の内容】
【００２２】
本発明において、前記傾斜面は、その導光部分の厚さ範囲内に設けられていることが好ましい。
【手続補正１３】
【補正対象書類名】明細書
【補正対象項目名】００２３
【補正方法】変更
【補正の内容】
【００２３】
この発明によれば、傾斜面が導光部分の厚さ範囲内に設けられていることにより、導光部分よりも厚さ方向に突出することなく形成されていることとなるので、傾斜面を形成することにより導光板の厚さが増加するといったことがなく、導光板の薄型化を妨げないとともに、傾斜面近傍の係合強度を高めることができる。
【手続補正１４】
【補正対象書類名】明細書
【補正対象項目名】００２６
【補正方法】変更
【補正の内容】
【００２６】
本発明において、前記傾斜面の少なくとも一方は、その導光部分の厚さが薄い方の側端に設けられていることが好ましい。
【手続補正１５】
【補正対象書類名】明細書
【補正対象項目名】００２７
【補正方法】変更
【補正の内容】
【００２７】
この発明によれば、傾斜面の少なくとも一方が導光部分の厚さが薄い方の側端に設けられていることにより、導光板の厚さが薄い方の側端においても破損を防止しつつ薄肉化を図ることができる。
【手続補正１６】
【補正対象書類名】明細書
【補正対象項目名】００２８
【補正方法】変更
【補正の内容】
【００２８】
次に、本発明の導光板の固定構造は、導光板を支持体に対して固定する固定構造であって、前記導光板の側端には、前記導光板の厚さ範囲内に形成され、前記導光板の側方及び厚さ方向一側に開いた一側凹部と、前記導光板の側方及び厚さ方向他側に開いた第２凹部とが設けられ、前記第１凹部と前記他側凹部とが前記支持体に対して相互に前記導光板の厚さ方向逆側に係合していることを特徴とする。
【手続補正１７】
【補正対象書類名】明細書
【補正対象項目名】００２９
【補正方法】変更
【補正の内容】
【００２９】
本発明において、前記凹部は、前記支持体から突出した突起に係合していることが好ましい。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
また、本発明の別の導光板は、その側端に、その表面に対して傾斜する傾斜面として、前記導光板の厚さ方向一側に向いた一側傾斜面と、前記導光板の厚さ方向他側に向いた他側傾斜面とが設けられ、前記一側傾斜面と前記他側傾斜面とが前記支持体に対して相互に前記導光板の厚さ方向逆側に係合していることを特徴とする。
【手続補正２０】
【補正対象書類名】明細書
【補正対象項目名】００３２
【補正方法】変更
【補正の内容】
【００３２】
本発明において、前記傾斜面は、前記導光板の導光部分の厚さ範囲内に設けられていることが好ましい。